【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
時間軸に沿って互いに異なる２つのフィールドにおける入力映像信号間の動き量と、信号源に応じて規定された所定の動き量パターンとを比較することにより、前記入力映像信号間の動き量と前記動き量パターンとの一致度または不一致度を求める比較部と、
前記比較部において求められた一致度または不一致度に基づいて、判別の確かさ度合いまたは不確か度合いを考慮しつつ、前記入力映像信号の信号源を判別する判別部と
を備えた信号判別装置。
【請求項２】
前記動き量パターンが、複数の信号源に対応して複数設けられており、
前記比較部は、前記入力映像信号間の動き量を、複数の動き量パターンとそれぞれ比較することにより、複数の信号源に対応した複数の一致度または不一致度を求め、
前記判別部は、求められた複数の一致度または不一致度に基づいて、複数の信号源に対する入力映像信号の判別を同時に行う
請求項１に記載の信号判別装置。
【請求項３】
前記判別部は、前記複数の一致度または不一致度に対してそれぞれ重み付け処理を行い、この重み付け処理を行った後に前記確かさ度合いまたは不確かさ度合いを算出する
請求項２に記載の信号判別装置。
【請求項４】
前記入力映像信号間の動き量として、時間軸に沿った前後１フィールド間の動き量と、時間軸に沿った前後２フィールド間の動き量と、のうちの少なくとも一方を用い、
前記動き量パターンとして、時間軸に沿った前後１フィールド間の動き量パターンと、時間軸に沿った前後２フィールド間の動き量パターンと、のうちの少なくとも一方を用いる
請求項１ないし請求項３のいずれか１項に記載の信号判別装置。
【請求項５】
前記前後１フィールド間の動き量を格納する第１の格納部と、
前記前後２フィールド間の動き量を格納する第２の格納部と、
前記前後１フィールド間の動き量パターンおよび前記前後２フィールド間の動き量パターンをそれぞれ、信号源に応じたパターン構造で発生させるパターン発生部とを備えた
請求項４に記載の信号判別装置。
【請求項６】
前記前後１フィールド間の動き量パターンおよび前記前後２フィールド間の動き量パターンがそれぞれ、フィールドごとの動き量のしきい値と、フィールドごとの等号または不等号のデータと、を含んで構成されている
請求項５に記載の信号判別装置。
【請求項７】
前記パターン発生部が、
前記動き量のしきい値を格納するしきい値格納部と、
前記等号または不等号のデータを格納する等号不等号格納部と、
信号源の属性情報を格納する属性格納部と有する
請求項６に記載の信号判別装置。
【請求項８】
前記しきい値格納部は、複数の信号源に対応した複数の動き量のしきい値を格納する
請求項７に記載の信号判別装置。
【請求項９】
前記等号不等号格納部は、複数の信号源に対応した複数の等号または不等号のデータを格納する
請求項７に記載の信号判別装置。
【請求項１０】
前記比較部は、
前記動き量のしきい値と、前記等号または不等号のデータとを用いてパターンマッチングを行うことにより、前記一致度または不一致度を求めるパターン比較部と、
前記パターン比較部により求められた一致度または不一致度を保持する比較結果保持部とを有する
請求項６ないし請求項９のいずれか１項に記載の信号判別装置。
【請求項１１】
前記比較部の動作を制御する制御部を備え、
前記制御部は、
前記入力映像信号において、所定の動きしきい値以下のフィールド数をカウントすることにより、入力映像信号における低動き量の度合いを判定する低動き量判定部と、
前記入力映像信号において、所定の輝度しきい値以下のフィールド数をカウントすることにより、入力映像信号における低輝度の度合いを判定する低輝度判定部と、
前記入力映像信号間の動き量のデータが定期的に得られているか否かを判定する周期判定部と、
前記低動き量判定部、前記低輝度判定部および前記周期判定部による判定結果に基づいて、前記比較部の動作の実行または停止を制御する動作処理部とを有する
請求項１ないし請求項１０のいずれか１項に記載の信号判別装置。
【請求項１２】
時間軸に沿って互いに異なる２つのフィールドにおける入力映像信号間の動き量と、信号源に応じて規定された所定の動き量パターンとを比較することにより、前記入力映像信号間の動き量と前記動き量パターンとの一致度または不一致度を求める比較部と、
前記比較部において求められた一致度または不一致度に基づいて、判別の確かさ度合いまたは不確か度合いを考慮しつつ、前記入力映像信号の信号源を判別する判別部と、
前記入力映像信号に対して所定の画像処理を行う画像処理部と
を備え、
前記画像処理部は、前記判別部による入力映像信号の信号源の判別結果に応じて、前記入力映像信号に対する画像処理の度合いを変化させる
信号処理装置。
【請求項１３】
時間軸に沿って互いに異なる２つのフィールドにおける入力映像信号間の動き量と、信号源に応じて規定された所定の動き量パターンとを比較することにより、前記入力映像信号間の動き量と前記動き量パターンとの一致度または不一致度を求める比較部と、
前記比較部において求められた一致度または不一致度に基づいて、前記入力映像信号の信号源を、確かさ度合いまたは不確か度合いを考慮しつつ判別する判別部と、
前記入力映像信号に対して所定の画像処理を行う画像処理部と、
前記画像処理部による画像処理後の映像信号に基づいて画像表示を行う表示部と
を備え、
前記画像処理部は、前記判別部による入力映像信号の信号源の判別結果に応じて、前記入力映像信号に対する画像処理の度合いを変化させる
画像表示装置。
【請求項１４】
所定の記録媒体に記録された映像信号の再生を行う再生部と、
前記再生部により再生された映像信号に基づく時間軸に沿って互いに異なる２つのフィールドにおける入力映像信号間の動き量と、信号源に応じて規定された所定の動き量パターンとを比較することにより、前記入力映像信号間の動き量と前記動き量パターンとの一致度または不一致度を求める比較部と、
前記比較部において求められた一致度または不一致度に基づいて、判別の確かさ度合いまたは不確か度合いを考慮しつつ、前記入力映像信号の信号源を判別する判別部と、
前記入力映像信号に対して所定の画像処理を行う画像処理部と
を備え、
前記画像処理部は、前記判別部による入力映像信号の信号源の判別結果に応じて、前記入力映像信号に対する画像処理の度合いを変化させる
再生装置。
【請求項１５】
入力映像信号における時間的または空間的に異なる信号から得られるパラメータと、このパラメータに対応して規定された所定のパターンとを比較することにより、前記入力映像信号から得られるパラメータと前記パターンとの一致度または不一致度を求める比較部と、
前記比較部において求められた一致度または不一致度に基づいて、判別の確かさ度合いまたは不確か度合いを考慮しつつ、前記入力映像信号の状態を判別する判別部と
を備えた信号判別装置。
【手続補正２】
【補正対象書類名】明細書
【補正対象項目名】００２７
【補正方法】変更
【補正の内容】
【００２７】
ここで、この画像処理部１４はまた、後述する信号判別部１５から供給される映像信号Ｄinの信号源（フィルムソース）の判別結果Ｊoutに応じて、映像信号Ｄinに対する画像処理の度合い（例えば、シャープネス処理部１４１によるシャープネス処理の度合いや、コントラスト変換部１４２によるγカーブの変化（コントラスト変換）の度合い、フィルタ処理部１４３におけるタップ係数の値（フィルタ処理の度合い）、Ｉ／Ｐ変換部１４４によるＩ／Ｐ変換の際の変換強度の度合い、オーバードライブ処理部１４５によるオーバードライブ処理の際のオーバードライブ量など）を変化させるようになっている。これにより、詳細は後述するが、映像信号Ｄinの信号源に応じて適切な画像処理を施すことが可能となっている。
【手続補正３】
【補正対象書類名】明細書
【補正対象項目名】００４３
【補正方法】変更
【補正の内容】
【００４３】
内部制御部１５２Ｅは、パターン分析部１５２からの要求に基づいて、その要求に応じたデータを、しきい値格納部１５２Ａ、等号・不等号格納部１５２Ｂおよび詳細部類格納部１５２Ｃから取り出し、しきい値分析格納部１５２Ｄへ供給するものである。
【手続補正４】
【補正対象書類名】明細書
【補正対象項目名】００５０
【補正方法】変更
【補正の内容】
【００５０】
このメイン判別部１５４は、例えば図５に示したように、重み付けデータ部１５４Ａと、乗算部１５４Ｂ１〜１５４Ｂ５等と、フィルム信頼度格納部１５４Ｃとを有している。
【手続補正５】
【補正対象書類名】明細書
【補正対象項目名】００６０
【補正方法】変更
【補正の内容】
【００６０】
ここで、データ格納部１５１Ａが本発明における「第１の格納部」の一具体例に対応し、データ格納部１５１Ｂが本発明における「第２の格納部」の一具体例に対応する。また、パターン分析部１５３が本発明における「比較部」の一具体例に対応し、メイン判別部１５４が本発明における「判別部」の一具体例に対応する。また、詳細部類格納部１５２Ｃが、本発明における「属性格納部」の一具体例に対応する。また、分析結果保持部１５３Ｃが、本発明における「比較結果格納部」の一具体例に対応する。また、低動き量カウンタ１５５Ｂが本発明における「低動き量判定部」の一具体例に対応し、低輝度カウンタ１５５Ａが本発明における「低輝度判定部」の一具体例に対応し、Ｓｙｎｃ差分カウンタ１５５Ｃが本発明における「周期判定部」の一具体例に対応し、しきい値処理部１５５Ｄが本発明における「動作処理部」の一具体例に対応する。
【手続補正６】
【補正対象書類名】明細書
【補正対象項目名】００７０
【補正方法】変更
【補正の内容】
【００７０】
以上のように本実施の形態では、信号判別部１５内のパターン分析部１５３において、映像信号Ｄinの間の動き量Ａ（i），Ｂ（i）と動き量パターンｐ（i）との一致度または不一致度を求めると共に、メイン判別部１５４において、求められた一致度または不一致度に基づいて、判別の確かさ度合いまたは不確か度合いを考慮しつつ、映像信号Ｄinの信号源を判別するようにしたので、映像信号Ｄinの信号源の判別の際の自由度を、従来よりも高めることができる。よって、映像信号Ｄinの信号源に応じたより適切な信号処理が可能な信号判別を実現することができる。
【手続補正７】
【補正対象書類名】明細書
【補正対象項目名】００７５
【補正方法】変更
【補正の内容】
【００７５】
例えば、上記実施の形態では、信号判別部１５において、映像信号Ｄinの信号源（フィルムソースの種類）を判別する場合について説明したが、本発明の信号判別装置の判別対象はこれには限られず、例えば、映像信号Ｄinの状態の判別（例えば、後述する静止画や動画の判別、暗いシーンや明るいシーンの判別、全黒表示状態や全白表示状態の判別など）を行うようにしてもよい。また、上記実施の形態では、時間軸に沿って互いに異なる２つのフィールドにおける映像信号Ｄinの間の動き量Ａ（i）〜Ａ（i＋9），動き量Ｂ（i）〜Ｂ（i＋9）と、信号源に応じて規定された動き量パターンｐ（i＋n）との一致度または不一致度を求める場合について説明したが、本発明の信号判別装置では、例えば、映像信号Ｄinにおける時間的または空間的に異なる信号から得られるパラメータと、このパラメータに対応して規定された所定のパターンとを比較することにより、映像信号Ｄinから得られるパラメータと上記パターンとの一致度または不一致度を求めるようにしてもよい。すなわち、本発明の信号判別装置では、より一般的には、このようにして得られたパラメータと上記パターンとの一致度または不一致度を求めると共に、求められた一致度または不一致度に基づいて、判別の確かさ度合いまたは不確か度合いを考慮しつつ、映像信号の状態を判別するようにしてもよい。このように構成した場合、映像信号の状態の判別の際の自由度を従来よりも高めることができ、映像信号の状態に応じたより適切な信号処理が可能な信号判別を実現することができる。
【手続補正８】
【補正対象書類名】図面
【補正対象項目名】図１
【補正方法】変更
【補正の内容】
【図１】
2009278326.tif 000001
【手続補正９】
【補正対象書類名】図面
【補正対象項目名】図３
【補正方法】変更
【補正の内容】
【図３】
2009278326.tif 000002
【手続補正１０】
【補正対象書類名】図面
【補正対象項目名】図５
【補正方法】変更
【補正の内容】
【図５】
2009278326.tif 000003